(57)【要約】【課題】カードがカードエッジコネクタに適切に接続されない限りラッチ部がカードのサイドエッジにラッチしないように構成されたカードエッジコネクタを提供すること。【解決手段】ハウジング２０のＸ方向両端からＹ方向に沿って延びるようにハウジング２０に保持された２つのアーム部材３０の夫々にラッチ部４０と干渉部５０とが設けられている。ラッチ部４０は、カードとカードエッジコネクタ１００との接続時にカードのサイドエッジに係止して接続状態を維持するための部位である。干渉部５０は、Ｘ方向において、ラッチ部４０よりも内側に突出するように設けられており、カードとカードエッジコネクタ１００が適切に接続しない限りカードのサイドエッジと干渉してサイドエッジに対するラッチ部４０の係止を妨げる。【選択図】図４
2011100647.tif 000002
【特許請求の範囲】
【請求項１】
複数のコンタクトと、該コンタクトを第１方向に並べて保持するハウジングと、前記第１方向と直交する第２方向に延びるように前記ハウジングに保持された一対のアーム部材とを備えたカードエッジコネクタであって、
前記アーム部材の夫々は、
カードと当該カードエッジコネクタとの接続時に前記カードのサイドエッジに係止するラッチ部と、
前記第１方向において前記ラッチ部よりも内側に突出している干渉部であって、前記カードが当該カードエッジコネクタと適切に接続しない限り前記第１方向において前記カードのサイドエッジと干渉して前記カードのサイドエッジに対する前記ラッチ部の係止を妨げる干渉部と
を備えている、カードエッジコネクタ。
【請求項２】
請求項１記載のカードエッジコネクタであって、
前記アーム部材は、金属板を打ち抜き、且つ、該打ち抜かれた金属板を曲げ加工して得られるものである
カードエッジコネクタ。
【請求項３】
請求項２記載のカードエッジコネクタであって、
前記干渉部は、当該干渉部の前記ハウジング側のサイドエッジ部分で構成された抜去防止部を有しており、前記カードと当該カードエッジコネクタとが適切に接続された状態において前記カードを前記第２方向に沿って無理に抜去しようとした場合に前記抜去防止部が前記カードと干渉することにより前記カードの無理な抜去を防止するように形成されている
カードエッジコネクタ。
【請求項４】
請求項２又は請求項３記載のカードエッジコネクタであって、
前記アーム部材の夫々は、当該カードエッジコネクタを基板に搭載する際に該基板に固定される固定部と、該固定部に接続され且つ前記第１方向外側に向かって開くことのできるように弾性を持たせて形成されたバネ部とを備えており、
前記ラッチ部と前記干渉部とは、前記バネ部から前記第１方向内側に向かって突出している
カードエッジコネクタ。
【請求項５】
請求項４記載のカードエッジコネクタであって、
前記アーム部材の夫々は、前記バネ部の前記第１方向外側への開きを所定範囲に規制するための規制部を備えており、
前記規制部は、当該規制部の前記固定部と対向するサイドエッジ部分で構成された当接部を有しており、前記バネ部が前記所定範囲を超えて前記第１方向外側へ開きそうになると前記当接部が前記第１方向内側から前記固定部に当接することにより、前記バネ部の過度の開きが防止される
カードエッジコネクタ。
【請求項６】
請求項１乃至請求項５のいずれかに記載のカードエッジコネクタであって、
前記カードの前記サイドエッジには、前記カードと当該カードエッジコネクタとの適切な接続時において前記第１方向に凹む凹部が形成されており、
前記干渉部は、前記カードと当該カードエッジコネクタとが適切に接続した際に、前記凹部内に位置するように設けられている
カードエッジコネクタ。
【請求項７】
請求項１乃至請求項６のいずれかに記載のカードエッジコネクタであって、
前記ラッチ部と前記干渉部とは、前記第２方向において互いに異なる位置に位置している
カードエッジコネクタ。
【発明の詳細な説明】
【技術分野】
【０００１】
本発明は、メモリモジュールのようなエッジ近傍に端子の設けられたカードと接続するためのカードエッジコネクタ又はソケットに関する。
【背景技術】
【０００２】
この種のカードコネクタにおいては、マザーボードのような回路基板に搭載固定されたカードエッジコネクタの開口部に対して小型のカードの接続エッジを斜め上方から挿入した後、カードを水平位置まで回動させて、カードの接続エッジに形成された接続部とカードエッジコネクタのコンタクトとを接続させると共に、カードエッジコネクタのアーム部材に設けられたラッチ部をカードのサイドエッジに係止させて接続状態を維持することとしている。この種のカードコネクタとしては、例えば、特許文献１〜特許文献３に開示されたものがある。
【先行技術文献】
【特許文献】
【０００３】
【特許文献１】特許第３７３０１１６号公報
【特許文献２】特開平１０−２９４１４７号公報
【特許文献３】実用新案登録第３０１５０８１号公報
【発明の概要】
【発明が解決しようとする課題】
【０００４】
従来のカードエッジコネクタにおいては、カードがカードエッジコネクタに適切に接続されていないにもかかわらず、ラッチ部がカードのサイドエッジにラッチしてしまうといった問題があった。
【０００５】
そこで、本発明は、カードがカードエッジコネクタに適切に接続されない限りラッチ部がカードのサイドエッジにラッチしないように構成されたカードエッジコネクタを提供することを目的とする。
【課題を解決するための手段】
【０００６】
本発明によれば、第１のカードエッジコネクタとして、
複数のコンタクトと、該コンタクトを第１方向に並べて保持するハウジングと、前記第１方向と直交する第２方向に延びるように前記ハウジングに保持された一対のアーム部材とを備えたカードエッジコネクタであって、
前記アーム部材の夫々は、
カードと当該カードエッジコネクタとの接続時に前記カードのサイドエッジに係止するラッチ部と、
前記第１方向において前記ラッチ部よりも内側に突出している干渉部であって、前記カードが当該カードエッジコネクタと適切に接続しない限り前記第１方向において前記カードのサイドエッジと干渉して前記カードのサイドエッジに対する前記ラッチ部の係止を妨げる干渉部と
を備えている、カードエッジコネクタが得られる。
【０００７】
また、本発明によれば、第２のカードエッジコネクタとして、第１のカードエッジコネクタであって、
前記アーム部材は、金属板を打ち抜き、且つ、該打ち抜かれた金属板を曲げ加工して得られるものである
カードエッジコネクタが得られる。
【０００８】
また、本発明によれば、第３のカードエッジコネクタとして、第２のカードエッジコネクタであって、
前記干渉部は、当該干渉部の前記ハウジング側のサイドエッジ部分で構成された抜去防止部を有しており、前記カードと当該カードエッジコネクタとが適切に接続された状態において前記カードを前記第２方向に沿って無理に抜去しようとした場合に前記抜去防止部が前記カードと干渉することにより前記カードの無理な抜去を防止するように形成されている
カードエッジコネクタが得られる。
【０００９】
また、本発明によれば、第４のカードエッジコネクタとして、第２又は第３のカードエッジコネクタであって、
前記アーム部材の夫々は、当該カードエッジコネクタを基板に搭載する際に該基板に固定される固定部と、該固定部に接続され且つ前記第１方向外側に向かって開くことのできるように弾性を持たせて形成されたバネ部とを備えており、
前記ラッチ部と前記干渉部とは、前記バネ部から前記第１方向内側に向かって突出している
カードエッジコネクタが得られる。
【００１０】
また、本発明によれば、第５のカードエッジコネクタとして、第４のカードエッジコネクタであって、
前記アーム部材の夫々は、前記バネ部の前記第１方向外側への開きを所定範囲に規制するための規制部を備えており、
前記規制部は、当該規制部の前記固定部と対向するサイドエッジ部分で構成された当接部を有しており、前記バネ部が前記所定範囲を超えて前記第１方向外側へ開きそうになると前記当接部が前記第１方向内側から前記固定部に当接することにより、前記バネ部の過度の開きが防止される
カードエッジコネクタが得られる。
【００１１】
また、本発明によれば、第６のカードエッジコネクタとして、第１乃至第５のカードエッジコネクタのいずれかであって、
前記カードの前記サイドエッジには、前記カードと当該カードエッジコネクタとの適切な接続時において前記第１方向に凹む凹部が形成されており、
前記干渉部は、前記カードと当該カードエッジコネクタとが適切に接続した際に、前記凹部内に位置するように設けられている
カードエッジコネクタが得られる。
【００１２】
更に、本発明によれば、第７のカードエッジコネクタとして、第１乃至第６のカードエッジコネクタのいずれかであって、
前記ラッチ部と前記干渉部とは、前記第２方向において互いに異なる位置に位置している
カードエッジコネクタが得られる。
【発明の効果】
【００１３】
本発明によれば、コンタクトの配列方向（即ち、カードの幅方向：第１方向）において干渉部がラッチ部よりも内側に突出していることから、カードとカードエッジコネクタとが適切に接続されて干渉部がカードのサイドエッジと干渉しない状態にならない限り、ラッチ部がカードのサイドエッジに係止することがない。
【図面の簡単な説明】
【００１４】
【図１】本発明の実施の形態によるカードエッジコネクタを示す正面側斜視図である。
【図２】図１のカードエッジコネクタを示す背面側斜視図である。
【図３】図１のカードエッジコネクタを示す分解斜視図である。
【図４】図１のカードエッジコネクタを示す平面図である。
【図５】図１のカードエッジコネクタに含まれるアーム部材を示す斜視図である。
【図６】図１のカードエッジコネクタに対してメモリカードを取り付けた状態を示す平面図である。
【図７】図１のカードエッジコネクタに対してメモリカードを取り付けた状態を示す斜視図である。
【図８】図１のカードエッジコネクタのアーム部材先端近傍を示す拡大平面図である。メモリカードは、カードエッジコネクタに適切に取り付けられており、ラッチされている。
【図９】図１のカードエッジコネクタのアーム部材先端近傍を示す拡大平面図である。メモリカードは、カードエッジコネクタに適切に取り付けられておらず、ラッチもされていない。
【発明を実施するための形態】
【００１５】
図１乃至４並びに図６及び図７を参照すると、本発明の実施の形態によるカードエッジコネクタ１００は、マザーボードのような相対的に大きな回路基板上に固定され、相対的に小さな回路基板上に複数の半導体パッケージ２５０を搭載してなるカード２００と接続されるものである。本実施の形態によるカード２００は、メモリモジュールを接続対象物（カード）とするものであり、複数のＤＲＡＭパッケージ（半導体パッケージ）を搭載してなるものである。このカード２００の先端のエッジ（接続エッジ）にはカードエッジコネクタ１００との接続用の複数の端子が設けられており、サイドエッジ２１０には半円状の凹部２１２が形成されている。
【００１６】
カードエッジコネクタ１００は、複数の上段コンタクト１１及び複数の下段コンタクト１２と、複数の上段コンタクト１１をＸ方向（第１方向）に列設すると共に複数の下段コンタクト１２をＸ方向に列設するように保持するハウジング２０と、ハウジング２０のＸ方向の両端からＹ方向（第２方向）に沿って延びるアーム部材３０とを備えている。ハウジング２０は、Ｘ方向に長手を有する絶縁性材料からなるものであり、開口部２２が形成されている。上段コンタクト１１及び下段コンタクト１２は、夫々、一部を開口部２２内に露出させるようにしてハウジング２０に保持されている。カードエッジコネクタ１００とカード２００との接続時においては、開口部２２に対してカード２００の接続エッジを斜め上方から挿入した後、カード２００を水平位置まで回動させる。これにより、カード２００の接続エッジに形成された端子とカードエッジコネクタ１００の上段コンタクト１１及び下段コンタクト１２とを接続させることができる。アーム部材３０にはラッチ部４０が設けられており、カード２００とカードエッジコネクタ１００との適切な接続時（カードをカードエッジコネクタに適切に嵌合した完全嵌合状態）においては、そのラッチ部４０をカード２００のサイドエッジ２１０に係止させて接続状態を維持する。
【００１７】
図５に示されるように、本実施の形態によるアーム部材３０は、一枚の金属板を打ち抜き、且つ、その打ち抜かれた金属板を曲げ加工して得られるものであり、ハウジング２０のＸ方向端部に圧入される圧入部３１と、アーム部材３０をマザーボードのような回路基板上に固定するための固定部３２と、Ｘ方向外側に向かって開くことができるように弾性を持たせて形成されたバネ部３５と、バネ部３５に変位可能に支持されたラッチ部４０、干渉部５０及び規制部６０とを備えている。
【００１８】
固定部３２には、孔３４の形成されたタブ状のＳＭＴ部３３が設けられている。ＳＭＴ部３３は、回路基板のパッド（図示せず）に半田接続され、アーム部材３０を回路基板に固定するためのものである。なお、孔３４に固定用のネジを通して回路基板にアーム部材３０を更に強固に固定するようにしても良い。この固定部３２は、連結部３６によってバネ部３５と連結されている。詳しくは、固定部３２もバネ部３５もＹＺ平面と平行に延びる主部を有しており、連結部３６は、その固定部３２の主部の上縁とバネ部３５の主部の上縁とを圧入部３１に近い位置で連結している。本実施の形態によるラッチ部４０、干渉部５０及び規制部６０は、バネ部３５の先端に形成されており、概略、固定部３２のＹ方向の先端を越えた位置に位置している。
【００１９】
図４及び図５を参照すると、ラッチ部４０は、カード２００とカードエッジコネクタ１００とが適切に接続したときにカード２００のサイドエッジ２１０に係止して、カード２００とカードエッジコネクタ１００との接続状態を維持するためのものである。ここで、ラッチ部４０は、バネ部３５からカードエッジコネクタ１００のＸ方向内側に向かって突出している。
【００２０】
干渉部５０もまたバネ部３５からカードエッジコネクタ１００のＸ方向内側に向かって突出しているものである。本実施の形態による干渉部５０は、Ｘ方向においてラッチ部４０よりも更にカードエッジコネクタ１００の内側に（Ｘ方向中心よりに）突出している。即ち、図４に示されるように、本実施の形態において、Ｘ方向における干渉部５０間の距離は、ラッチ部４０間の距離よりも短い。この干渉部５０は、カード２００がカードエッジコネクタ１００と適切に接続しない限りカード２００のサイドエッジ２１０と干渉してカード２００のサイドエッジ２１０に対するラッチ部４０の係止を妨げるためのものである。換言すると、干渉部５０は、カード２００がカードエッジコネクタ１００と適切に接続した場合、サイドエッジ２１０に対するラッチ部４０の係止を妨げないように構成されている。ここで、本実施の形態によるラッチ部４０と干渉部５０とは、Ｙ方向において互いに異なる位置に位置している。より具体的には、本実施の形態によるラッチ部４０は、Ｙ方向において干渉部５０とハウジング２０との間に位置している。
【００２１】
前述したように、本実施の形態における接続対象物であるカード２００のサイドエッジ２１０には半円状の凹部２１２が形成されている（図６〜図９参照）。カード２００とカードエッジコネクタ１００とが適切に接続した際に、干渉部５０は、図８に示されるように、その凹部２１２内に位置するように設けられている。このとき、ラッチ部４０はサイドエッジ２１０を係止することができ、カード２００とカードエッジコネクタ１００との接続関係は適切に維持される。一方、カード２００とカードエッジコネクタ１００とが適切に接続されていない場合（半嵌合・半接続の場合）、干渉部５０は、図９に示されるように、凹部２１２内に位置しておらず、カード２００のサイドエッジ２１０と干渉することとなる。このように干渉部５０がサイドエッジ２１０と干渉すると、干渉部５０よりもＸ方向外側に位置しているラッチ部４０はサイドエッジ２１０を係止することができない。従って、本実施の形態によるカードエッジコネクタ１００においては、カード２００とカードエッジコネクタ１００とが半嵌合状態にあるとき、ラッチ部４０がサイドエッジ２１０を係止することがない。
【００２２】
本実施の形態による干渉部５０は、打ち抜かれた金属板の一部を折り曲げて構成されたものであり、ＸＹ平面に平行な基部５２と、Ｘ方向及びＹ方向の双方に斜交するように延びる片部５４と、基部５２と片部５４とをつなぐ屈曲部５６とを備えている。即ち、干渉部５０は、Ｚ方向と直交し且つＸ方向及びＹ方向の双方と斜交する方向に延びる線を軸として、その軸の周りに折り曲げて構成されたものである。特に、本実施の形態においては、Ｒ面を有しているため明確な折り曲げ線ではないものの当該軸と平行に延びる折り曲げ線が生じるように折り曲げられている。
【００２３】
干渉部５０の先端のエッジ（片部５４の先端の下側を向いているエッジ）ではなく、干渉部５０のサイドエッジ部分（特に、片部５４のハウジング２００側のサイドエッジ部分）は、Ｚ方向に沿って延びており、カード２００とカードエッジコネクタ１００とが適切に接続された状態においてカード２００を−Ｙ方向に無理に抜去（適切な接続状態から、ラッチ部の係止を解除しないで、カードを抜去しようとすること）しようとしたとしてもカード２００と干渉して無理な抜去を防ぐ抜去防止部５８として機能する。このような構成を有する抜去防止部５８は、従来構成の抜去防止部に比べて強度が高い。例えば、特許文献１の抜去防止部は、Ｚ方向と平行に延びる軸の周りに金属板を折り曲げて構成されているため、抜去防止部にカードの無理な抜去時の力が加わると、抜去防止部が開いてしまう（延びてしまう）恐れがある。これに対して、本実施の形態によるアーム部材３０においては、干渉部５０のサイドエッジ部分の一部を利用して抜去防止部５８を構成していることから、カード２００を無理に抜こうとした際に、抜去防止部５８に比較的大きな力が加わったとしてもその力を抜去防止部５８で確実に受けることができる。
【００２４】
なお、上述した干渉部５０は、ＸＹ平面に平行な基部５２と、Ｘ方向及びＹ方向の双方に斜交するように延びる片部５４とを有するものであったが、本発明はこれに制限されるものではない。例えば、干渉部５０の片部５４の面や先端のエッジ部分ではなく、干渉部５０のサイドエッジ部分を抜去防止部５８として利用できるのであれば、基部５２がＸ方向やＺ方向と斜交するものであってもよく、片部５４がＸ方向、Ｙ方向及びＺ方向のすべてと斜交するものであってもよい。また、本実施の形態においては、干渉部５０に抜去防止部５８を設けることとしていたが、干渉部５０と抜去防止部５８とを分けることとしてもよい。但し、カードエッジコネクタ１００全体のサイズ等を考慮すると、上述した実施の形態のように干渉部５０に抜去防止部５８を設けることとするのが好ましい。
【００２５】
本実施の形態による規制部６０は、バネ部３５の一部（本実施の形態においてはバネ部３５の下縁）からＸ方向内側に向かって延びるように折り曲げ形成されている。この規制部６０は、Ｘ方向外側に向かうバネ部３５の過度の開きを防止するためのものである。規制部６０は、当該規制部６０の固定部３２と対向するサイドエッジ部分で構成された当接部６２を有しており、バネ部３５が所定範囲を超えてＸ方向外側へ開きそうになると当接部６２がＸ方向内側から固定部３２に当接することにより、バネ部３５の過度の開きを防止する。詳しくは、本実施の形態による規制部６０には、ハウジング２０側に向かって延びる突片６４が設けられている。本実施の形態による突片６４は、Ｘ方向と略平行に延びる軸の周りに金属板を曲げて構成されており、規制部６０からＹ方向及びＺ方向の双方と斜めに交差する方向（斜め上方向）に向かって延びている。本実施の形態においては、かかる突片６４の固定部３２側のサイドエッジ部分が当接部６２として機能する。このような当接部６２によれば、バネ部３５をＸ方向外側に向かって開くような比較的強い力がバネ部３５に加えられたとしても、規制部６０によって確実に規制することができる。なお、突片６４は、例えば、ＸＺ平面と平行な方向に延びていてもよい。
【００２６】
以上、金属板を打ち抜き加工及び折り曲げ加工して得られるアーム部材３０を有するカードエッジコネクタ１００について詳細に説明してきたが、本発明はこれに制限されるものではない。例えば、アーム部材３０は樹脂等からなるものであってもよいし、樹脂で構成される場合にはハウジングと一体に形成されていてもよい。但し、強度等を考慮すると、上述した実施の形態のようにアーム部材は金属製であることが好ましい。
【符号の説明】
【００２７】
１１        上段コンタクト
１２        下段コンタクト
２０        ハウジング
２２        開口部
３０        アーム部材
３１        圧入部
３２        固定部
３３        ＳＭＴ部
３４        孔
３５        バネ部
３６        連結部
４０        ラッチ部
５０        干渉部
５２        基部
５４        片部
５６        屈曲部
５８        抜去防止部
６０        規制部
６２        当接部
６４        突片
１００        カードエッジコネクタ
２００        カード
２１０        サイドエッジ
２１２        凹部
２５０        半導体パッケージ
【図１】
2011100647.tif 000003
【図２】
2011100647.tif 000004
【図３】
2011100647.tif 000005
【図４】
2011100647.tif 000006
【図５】
2011100647.tif 000007
【図６】
2011100647.tif 000008
【図７】
2011100647.tif 000009
【図８】
2011100647.tif 000010
【図９】
2011100647.tif 000011